(57)【特許請求の範囲】
【請求項１】
内部電子時計の特定時刻に時刻コード信号を受信し、当該時刻コード信号に基づいて前記内部電子時計の時刻と指針の指す時刻とを修正する時刻修正動作を行うアナログ式電波修正時計において、
前記時刻修正動作後の所定時間経過後に前記内部電子時計の時刻と前記指針の指す時刻とが一致しているか否かを判定する判定手段を設け、
前記判定手段が不一致を検出したときに警告を発する警告手段を設けた
ことを特徴とするアナログ式電波修正時計。
【請求項２】
請求項１において、前記警告手段は前記判定手段が前記不一致を複数回検出したときに警告を発することを特徴とするアナログ式電波修正時計。
【請求項３】
請求項２において、前記不一致の検出回数は、累積回数または連続回数であることを特徴とするアナログ式電波修正時計。
【請求項４】
請求項１または２において、前記警告手段は発光体を発光するかまたは前記指針を間欠運針または停止することを特徴とするアナログ式電波修正時計。
【発明の詳細な説明】
【０００１】
【発明の属する技術分野】
本発明は、アナログ式電波修正時計に関するものである。
【０００２】
【従来の技術】
従来、電波修正時計として、リセット後やバッテリー交換後は輪列（指針）の初期位置検出を行って基準時刻に合わせてから標準時刻電波で送られてくる時刻信号の表す現在時刻に修正し、通常は時刻信号の表す現在時刻と内部時計の差分だけ補正パルスを出して現在時刻に修正するものがある。
【０００３】
また、修正時に、内部時計と時刻信号の表す現在時刻との差だけでなく輪列（指針）の位置検出を行って修正するものもある。
【０００４】
【発明が解決しようとする課題】
前記第１の従来のものにおいて、電波修正だけでは、内部時計の誤差を修正できるが、例えばバッテリーの容量減少など電源電圧低下があると、修正後にも遅れが再発する。また、前記の第２の従来のものにおいて、内部時計と位置検出の結果が違えば、衝撃等により輪列（指針）の位置がずれたことは判るので、修正すればよいが、電圧低下による不一致の場合には、一旦修正しても次の修正時までに遅れが発生することは避けられないという問題点があった。
【０００５】
そこで本発明においては、電池の電圧を監視するのではなく、時計の遅れをチェックすることで、間接的に電池の電圧の低下を判断し、これをユーザーに知らせて警告し、修正を行わせて時刻を誤認識させる事を避けるようにする。
【０００６】
【課題を解決するための手段】
本発明のアナログ式電波修正時計は、内部電子時計の特定時刻に時刻コード信号を受信し、当該時刻コード信号に基づいて前記内部電子時計の時刻と指針の指す時刻とを修正する時刻修正動作を行うアナログ式電波修正時計において、前記時刻修正動作後の所定時間経過後に前記内部電子時計の時刻と前記指針の指す時刻とが一致しているか否かを判定する判定手段を設け、前記判定手段が不一致を検出したときに警告を発する警告手段を設けたことを特徴としている。この構成によって、不一致の状態を速やかにユーザーに知らせることができ、正確な時刻の表示が得られる。
【０００７】
前記警告手段は前記判定手段が前記不一致を複数回検出したときに警告を発するように構成してもよく、前記不一致の検出回数は、累積回数または連続回数であってもよい。また、前記警告手段は発光体を発光するかまたは前記指針を間欠運針または停止するようにしてもよい。
【０００８】
【発明の実施の形態】
本発明の実施の一形態について図面に基づいて説明する。
図１にブロック図で示すように、本発明のアナログ式電波修正時計は、不図示の発信局から電波送信される時刻コード信号を、特定時刻に受信アンテナＦ及び受信回路Ｇを介して中央制御装置Ａに受信する。この信号は中央制御装置（ＣＰＵ）Ａ内の判定手段である制御部Ａ−１から内部電子時計Ａ−２に供給される。この時刻コード信号に基づいて、内部電子時計Ａ−２の時刻を修正すると共に、輪列Ｃを駆動してアナログ時計の指針Ｂ（図３図示）の指す時刻を修正する時刻修正動作を行う。アナログ時計の指針Ｂを駆動する時計機械体の輪列Ｃ（図２図示）には、位置検出機構Ｄが備わっており、時刻修正動作後の所定時間経過後に、位置検出機構Ｄにより検出された指針Ｂの指す時刻と、内部電子時計Ａ−２の時刻とが一致しているか否かを制御部Ａ−１により判定する。判定した結果、両時刻が一致していない、即ち、不一致を制御部Ａ−１が検出したときには、警告手段例えば警告灯Ｌを点灯して警告を発する。
【０００９】
図２は時計機械体の輪列Ｃの要部の展開断面図であり、スイープ運針を行うように構成してある。下ケース１０と中ケース１１との間に、電源Ｅ（図１図示）から電源の供給を受けて動作する第１の駆動モータにより回転駆動される時分針車駆動輪列が設けてある。即ち、モータのロータ１、駆動車２、中間車３、分針車４、日の裏車５及び時針車６がそれぞれ回転自在に軸支され、順次噛合して減速輪列を構成している。また、中ケース１１と上ケース１２との間に、図示しない第２の駆動モータにより回転駆動される秒針車駆動輪列が設けてある。即ち、モータ歯車に噛合する不図示の２番車、３番車７及び秒針車８が回転自在に軸支され、順次噛合して減速輪列を構成している。分針車４と時針車６と秒針車８とは、中ケース１１に一体的に設けてあるパイプ１１ｂにそれぞれ回転可能に嵌合し、下ケース１０からの突出端に、図示しない分針、時針、秒針からなる指針Ｂが取り付けられ、指針Ｂが同心的に回転する所謂中３針式のアナログ時計に構成してある。
【００１０】
輪列（指針）の位置検出機構Ｄについて説明する。３番車７には、位置検出用の小さい透孔７ａと、この透孔７ａよりも小径で回転中心から近距離でかつ透孔７ａと１８０度離れた位置に輪列組み込み用の位置決め孔７ｂが形成してある。秒針車８には、同一円周上で１８０度離れた位置に位置検出用の透孔８ａと反射板からなる反射部８ｂが形成してある。中間車３には同一円周上に１２０度間隔で３つの透孔３ａが、分針車４には前記の透孔８ａと同一半径の円周上に１２０度間隔で３つの透孔４ａが形成してある。時針車６には前記の透孔８ａと同一半径の円周上に７つの透孔６ａが形成してある。後述のように８つの基準時刻があるので、透孔６ａは８つ必要であるが、２つの透孔を繋いでいるので７つの透孔６ａを設ければよい。また、中ケース１１には位置検出用の透孔７ａ，８ａ，３ａ，４ａ，６ａと上下に一直線上に揃うように透孔１１ａが形成してある。これらの位置検出用の透孔が上下に一直線上に揃う時刻は、１２：００，１：４０，３：００，５：４０，６：００，８：２０，９：００，１１：００の８回あり、これを基準時刻としている。隣り合う基準時刻同士の間隔は全て異なっている。
【００１１】
下ケース１０には、この一直線上に揃った透孔６ａと対向する位置に発光ダイオード９が固定してあり、３番車７の上部に配設してある基板１３には、この一直線上に揃った透孔７ａと対向する位置に発光素子と受光素子とを備えた反射型センサ１４が固定してある。
【００１２】
初期の位置検出は、先ず秒針の位置検出を秒針車８の反射板８ｂと反射型センサ１４で行い、位置検出ができたら秒針Ｂを０秒の位置まで移動して止める。０秒の位置では３番車７の透孔７ａと秒針車８の透孔８ａとが上下に揃っている。次に発光ダイオード９を発光させて時分針を回転させると、中間車３、分針車４、時針車６の透孔３ａ，４ａ，６ａが重なった時に発光ダイオード９の光が反射型センサ１４に届く。この位置は前記の８つの基準時刻のいずれかであるので、時分針の回転を続けて再び透孔が重なって反射型センサ１４に光が届く位置に来た時に、最初に透孔が一致した時との間隔を確認して２度目に透孔が重なったときの位置を割り出す。これで時分秒針の全てがどの位置にあるかが認識でき、初期の位置検出が終了する。
【００１３】
一例として、毎日の位置検出を１２時に行うこととしている。したがって、内部電子時計Ａ−２が所定の時刻（１２時）になった時に発光ダイオード９を点灯させる。発光ダイオード９から発した光が、一直線に揃った全ての透孔６ａ，４ａ，３ａ，１１ａ，８ａ，７ａを通過して反射型センサ１４で検出できれば、時針、分針、秒針からなる指針Ｂの指す時刻と内部電子時計Ａ−２の時刻とが一致している、即ち、正常状態であると制御部Ａ−１により判定する。反射型センサ１４で光が検出できないときは、内部電子時計Ａ−２の時刻と指針Ｂの指している時刻とが一致していないことであるので、制御部Ａ−１により不一致と判定する。正確には例外があり一致と判定される位置が前記の８つあるのであるが、位置検出の時刻である１２時に対して、丁度６０分遅れているとか、丁度１００分進んでいるなどということは有り得ないので、１２時に行う毎日の位置検出に問題は生じない。また、３番車７の透孔７ａと秒針車８の透孔８ａの大きさを調整して、約１秒間で光路を横切るように設定してある。このために、内部電子時計Ａ−２の時刻と指針Ｂの指している時刻とが一致している場合には、全ての透孔６ａ，４ａ，３ａ，１１ａ，８ａ，７ａが１２時に約１秒間上下に一直線上に重なるので、この間に発光ダイオード９からの光の通過が、反射型センサ１４により確実に検出できる。
【００１４】
不一致と判定されたときに警告手段により警告を行う例として、前記のように警告灯Ｌを点灯させてユーザーに知らせる。通常、不一致となるのは電源電圧が下がってきている場合が多いので、警告灯Ｌを図３に示すバッテリー警告灯１５で兼用し、この点灯によりユーザーにバッテリーの交換を促すようにしてもよい。警告を行う手段としてはこれに限られず、例えば、指針Ｂの運針を間欠運針するように制御してユーザーが認知し易いようにしてもよく、また、直ちに指針の運針を停止するようにしてもよく、この場合には現在時刻の誤認識は生じない。
【００１５】
不一致と判定して警告を発する場合を、前記のように１回の不一致の判定で行ってもよいが、予め制御部Ａ−１に所定の回数を定めておき、不一致が所定の回数だけ検出されたと判定された場合に、制御部Ａ−１により警告を発するように設定してもよい。通常、電源電圧が下がってくると、大抵は「時刻が遅れる」「時々止まる」という現象になり、だんだん遅れがひどくなって最終的には止まってしまう。電波修正時計の場合は毎日時刻修正されるので、遅れが累積されることはないが、電圧低下がまだ少ないうちは、時刻に遅れが発生した次の日には遅れが無く、更に次の日には遅れるという不揃いな動作もある。また、電圧低下以外にも種々の原因に起因する場合があるので、必ずしも連続しないで時々不一致が検出されることもある。したがって、所定の回数を累積回数で数えて警告を発するようにしてもよい。更に、電源電圧の低下が大きくなると、不一致の検出が連続して発生するようになるので、所定の回数を不一致の検出の連続回数で行ってもよい。
【００１６】
電波による時刻の修正は、通常２４時間毎に行っており、内部電子時計で午前・午後の判別を行って、例えば、午前２時に行うようにしている。また、午前２時に受信が正しく行えなかった場合には、午前４時、午後２時、または午後４時に行うようにしている。
【００１７】
位置検出機構Ｄを作動させるために発光ダイオード９を点灯させる時刻は、前記のように内部電子時計Ａ−２が１２時の時であり、通常は内部電子時計Ａ−２により午前・午後の判別を行って午後１２時のみの２４時間毎でよい。しかし、更に精度を上げるために午後１２時と午前１２時のように１２時間毎に行うようにしてもよく、その他、前記の基準時刻毎に８回行うように設定してもよい。
【００１８】
仮に、基準時刻、例えば午後１２時になって発光ダイオード９を点灯させたが、このとき反射型センサ１４で光を検出できなかった場合があっても、次の電波修正時刻（午前２時）には時刻修正動作が行われて、内部電子時計Ａ−２の時刻及び指針Ｂの指す時刻が正しく修正される。そして、次の基準時刻に至って、今度は反射型センサ１４で光が検出できれば、一致の判定が為され、これは指針Ｂが正しい時刻を指していることであるので何ら問題はない。しかし、次の基準時刻にも再び不一致の判定が繰り返された際には、電波修正時刻に時刻修正動作が行われても修正し得ない程度に指針Ｂのずれが大きく生じていたか、または一旦修正されても直ぐに遅れなどを生じて再び不一致が判定されたかの場合であり、このようなことが生じるのは、通常バッテリーの電源電圧が下がってモータの送りミスが続いている場合であるので、前記のように警告を発する。または時計の運針を間欠運針に変更し、甚だしくは運針を停止する。ユーザーはこれを認識してバッテリーを交換し、指針Ｂを正しい時刻に合わせる。
【００１９】
前記の例では、位置検出機構Ｄを輪列Ｃを構成する歯車に設けた透孔を用いて検出する構成としているが、これに限られるものでなく、輪列Ｃとは別に、指針Ｂが所定の位置にあるか判定できる機構や、ずれ検出機構を設けてもよい。この場合には、前記の基準時刻に限られるものではなく、任意の時刻に検出時刻を設定することが可能である。
【００２０】
【発明の効果】
このように本発明によれば、定時の電波による時刻修正動作の他に、内部電子時計の時刻と、指針の指す時刻とが、一致しているか否かを判定し、この判定の結果が不一致のときに警告を発するように構成しているので、不一致のまま長く誤った時刻の表示を続けて、ユーザーに時刻を誤認識させることを排除できる。不一致を生じるのは大部分電池電圧の低下であるので、この警告を認識したらユーザーは電池の交換を行えばよく、電池交換のタイミングを外すことが無い。不一致を判定する頻度を増やすことで、時刻の表示の精度を上げることが極めて容易にできる。
【図面の簡単な説明】
【図１】本発明の実施の一形態を示すブロック図である。
【図２】同、本発明の時計の輪列の展開断面図である。
【図３】同、本発明の時計の正面図である。
【符号の説明】
Ａ−１  判定手段（制御部）
Ａ−２  内部電子時計
Ｂ      指針
Ｌ      警告手段（警告灯）
【図１】
0003786582.tif 000002
【図２】
0003786582.tif 000003
【図３】
0003786582.tif 000004